(57)【特許請求の範囲】
【請求項１】
走行可能な車体と、前記車体上に起伏、伸縮、および旋回動自在に配設されたブームと、前記ブームの先端部に取り付けられて電線を支持可能な仮支持装置とを備え、前記仮支持装置により前記電線を支持可能な仮支持工法車であって、
前記仮支持装置は、
前記ブームの先端部に取り付けられて前記ブームの起伏角度に拘らず略水平に伸びるように保持されたブラケットと、
前記ブラケットに支持されて前記ブラケットの延伸方向と平行に伸びるアームと、
前記延伸方向に対して直交する方向に伸びて前記アームに設けられて前記電線を支持可能な支持部とを有し、
前記ブラケットは、前記ブラケットに対して、前記延伸方向に伸びる軸を回転軸として前記アームを回転させる回転装置を有し、
前記回転装置は、少なくとも、前記支持部が略鉛直方向上方に向く鉛直位置と前記支持部が略水平方向側方に向く水平位置との間で、前記ブラケットに対して前記アームを前記回転軸を中心として回転させるように構成されることを特徴とする仮支持工法車。
【請求項２】
前記仮支持装置は、前記ブームの先端部に取り付けられて前記ブームの起伏角度に拘らず略鉛直に伸びるように保持された垂直ポストを有し、
前記垂直ポストは、前記ブラケットを前記略水平に支持するとともに、前記ブラケットを前記垂直ポストの鉛直に伸びる旋回軸を中心として旋回させる旋回装置を有して構成されることを特徴とする請求項１に記載の仮支持工法車。
【請求項３】
前記支持部が前記ブームの基端側を向くように、前記アームが前記回転装置により前記水平位置に回転変位された状態で、前記ブームを前記車体上に格納させることが可能に構成されたことを特徴とする請求項１または２に記載の仮支持工法車。
【発明の詳細な説明】
【技術分野】
【０００１】
本発明は、配電工事、特に電柱の建替え作業等に有用な仮支持工法車に関する。
【背景技術】
【０００２】
電柱の建替え作業や、電柱上において電線等を支持している腕金等の交換作業を行うときには、電柱上に支持されている電線を当該電柱の代わりに支持させるため、ブームの先端に仮支持装置を備えた仮支持工法車が用いられることが多い。このような仮支持工法車として、例えば、ブームの作動により、ブーム先端に立設された仮支持装置を高圧線およびグランドワイヤに対し真下からアプローチさせ、そのまま高圧線およびグランドワイヤを押し上げ支持する構成のものが知られている（例えば、特許文献１を参照）。
【先行技術文献】
【特許文献】
【０００３】
【特許文献１】実用新案登録第２５３７５８９号公報
【発明の概要】
【発明が解決しようとする課題】
【０００４】
しかしながら、このような構成の仮支持工法車では、電線の真下からしかアプローチできないため、高圧線の下方に低圧線や通信線等が配設されている場合、仮支持装置を高圧線にアプローチさせることが難しく、適用できる電線の配置が限定されてしまうという問題があった。
【０００５】
本発明は、このような問題に鑑みてなされたものであり、電線の配置に拘わらず、目的の電線に仮支持装置を容易にアプローチさせることが可能な仮支持工法車を提供することを目的とする。
【課題を解決するための手段】
【０００６】
このような目的達成のため、本発明に係る仮支持工法車は、走行可能な車体と、前記車体上に起伏、伸縮、および旋回動自在に配設されたブームと、前記ブームの先端部に取り付けられて電線を支持可能な仮支持装置とを備え、前記仮支持装置により前記電線を支持可能な仮支持工法車であって、前記仮支持装置は、前記ブームの先端部に取り付けられて前記ブームの起伏角度に拘らず略水平に伸びるように保持されたブラケットと、前記ブラケットに支持されて前記ブラケットの延伸方向と平行に伸びるアームと、前記延伸方向に対して直交する方向に伸びて前記アームに設けられて前記電線を支持可能な支持部（例えば、実施形態における電線支持具４０Ａ〜４０Ｃおよびグランドワイヤ支持具４０Ｇ）とを有し、前記ブラケットは、前記ブラケットに対して前記延伸方向に伸びる軸を回転軸として前記アームを回転させる回転装置（例えば、実施形態における回転モータ２７）を有し、前記回転装置は、少なくとも、前記支持部が略鉛直方向上方に向く鉛直位置と前記支持部が略水平方向側方に向く水平位置との間で、前記ブラケットに対して前記アームを前記回転軸を中心として回転させるように構成される。
【０００７】
なお、上述の発明において、前記仮支持装置は、前記ブームの先端部に取り付けられて前記ブームの起伏角度に拘らず略鉛直に伸びるように保持された垂直ポストを有し、前記垂直ポストは、前記ブラケットを前記略水平に支持するとともに、前記ブラケットを前記垂直ポストの鉛直に伸びる旋回軸を中心として旋回させる旋回装置（例えば、実施形態における首振りモータ２２）を有して構成されることが好ましい。
【０００８】
また、上述の発明において、前記支持部が前記ブームの基端側を向くように、前記アームが前記回転装置により前記水平位置に回転変位された状態で、前記ブームを前記車体上に格納させることが可能に構成されることが好ましい。
【発明の効果】
【０００９】
本発明によれば、アームに対し垂直に伸びる支持部が略鉛直方向を向いて電線を支持可能な鉛直位置と、当該支持部が略水平方向を向く水平位置との間で、略水平に保持されたアームが回転可能に構成されるため、アームが水平位置に回転した状態では、支持部が略水平方向を向いて仮支持装置の高さが低くなり、例えば、支持対象の高圧線の下方に低圧線等が存在しても、高圧線と低圧線との間に側方から仮支持装置を容易にアプローチさせることができる。これにより、電線の配置に拘わらず、目的の電線に仮支持装置を容易にアプローチさせることが可能になる。
【００１０】
なお、上述の発明において、アームを支持するブラケットが垂直ポストに対して旋回可能に構成されることが好ましく、このようにすれば、ブームの旋回位置に拘わらず、ブラケットに支持されたアームを電線に対して直角に（所望の角度に）位置させることができる。
【００１１】
また、上述の発明において、ブームが車体上に格納されるとき、アームが水平位置に回転変位することが好ましく、これにより、アームが水平位置に回転した状態では、支持部が略水平方向を向いて仮支持装置の高さが低くなるため、ブーム格納時の車高を低くすることができる。また、アームが水平位置に回転した状態で、ブームを格納状態から作動させることができ、目的の電線に仮支持装置をアプローチさせる際、アームを鉛直位置から水平位置に回転させる作業を省略できることから、作業効率を向上させることが期待できる。
【図面の簡単な説明】
【００１２】
【図１】仮支持工法車の制御系を示すブロック図である。
【図２】仮支持工法車の斜視図である。
【図３】仮支持装置の側面図である。
【図４】仮支持装置の平面図である。
【図５】仮支持装置の正面図である。
【図６】操作装置の正面図である。
【図７】仮支持装置に支持された電線の平面図である。
【図８】ブームの作動範囲の一例を示す図である。
【発明を実施するための形態】
【００１３】
以下、図面を参照して本発明の好ましい実施形態について説明する。本実施形態に係る制御装置を備えた仮支持工法車１を図２に示している。この仮支持工法車１は、前後輪３ａ，３ｂを有して走行可能であり、前部に運転キャブ２ａを有したトラック車両をベースに構成される。このトラック車両の車体２の上に油圧モータである旋回モータ６（図２では図示せず、図１を参照）により駆動されて水平旋回可能に構成された旋回台４が配設されている。旋回台４に基端部が枢結されてブーム５が取り付けられており、このブーム５は起伏シリンダ７により起伏動されるようになっている。ブーム５は、基端ブーム５ａ、中間ブーム５ｂ、および先端ブーム５ｃを入れ子式に組み合わせて、内蔵のブーム伸縮シリンダ８（図２では図示せず、図１を参照）により伸縮動可能に構成されている。
【００１４】
先端ブーム５ｃは先端にブームヘッド５ｄを有し、このブームヘッド５ｄには、電柱の代わりに電線を支持可能な仮支持装置２０が取り付けられている。なお、車体２の前後左右の四カ所に下方に伸縮自在なアウトリガ９が設けられており、仮支持作業を行うときには、アウトリガ９を車体２の側方に張出させるとともに下方に伸長させて、車体２を持ち上げ支持できるようになっている。また、車体２の後部には、ブーム５や仮支持装置２０等の操作が行われる操作装置５０が取り付けられている。
【００１５】
仮支持装置２０は、図３に示すように、ブームヘッド５ｄに枢結された垂直ポスト２１と、垂直ポスト２１に略水平に伸びるように支持されたブラケット２６と、ブラケット２６に支持されて当該ブラケット２６の延伸方向と平行に伸びるアーム部３０と、アーム部３０に設けられて３本の高圧線ＨＷ１〜ＨＷ３をそれぞれ支持可能な３つの電線支持具４０Ａ〜４０Ｃと、アーム部３０に設けられてグランドワイヤＧＷを支持可能なグランドワイヤ支持具４０Ｇとを有して構成される。なお、３本の高圧線ＨＷ１〜ＨＷ３はそれぞれ、略水平に並ぶように互いに平行に伸びて、所定の間隔で配置された複数の電柱Ｐ（図５を参照）に支持されている。また、グランドワイヤＧＷは、３本の高圧線ＨＷ１〜ＨＷ３の上方で平行に伸びて、３本の高圧線ＨＷ１〜ＨＷ３と同じ電柱Ｐに支持されている。また、３本の高圧線ＨＷ１〜ＨＷ３の下方に３本の低圧線ＬＷ１〜ＬＷ３が配設されており、３本の低圧線ＬＷ１〜ＬＷ３はそれぞれ、略水平に並ぶように互いに平行に伸びて、３本の高圧線ＨＷ１〜ＨＷ３と同じ電柱Ｐに支持されている。
【００１６】
垂直ポスト２１は、下側部分がブームヘッド５ｄに枢結されて上下に揺動可能に取り付けられる。ブームヘッド５ｄと垂直ポスト２１との間に配設されたレベリングシリンダ（図示せず）により垂直ポスト２１の揺動制御が行われ、ブーム５の起伏角度に拘わらず垂直ポスト２１の上部が常に略鉛直に延びて位置するように垂直ポスト２１が揺動制御される。このように略鉛直に保持される垂直ポスト２１に、ブラケット２６が首振り自在に（水平旋回自在に）支持され、ブラケット２６はブーム５の起伏角度に拘わらず略水平に伸びるように保持される。また、垂直ポスト２１には、ブラケット２６を垂直ポスト２１に対して首振りさせる首振りモータ２２（油圧モータ：図４を参照）および首振り機構（図示せず）が設けられている。
【００１７】
ブラケット２６は、アーム部３０を当該ブラケット２６の延伸方向と平行に伸びるように支持する。すなわち、アーム部３０を構成する第１および第２アーム３３，３５は、通常、ブーム５の起伏角度に拘わらず略水平に伸びるように保持される。また、ブラケット２６には、図３および図５に示すように、ブラケット２６の延伸方向に伸びる軸を回転軸としてアーム部３０を回転させる回転モータ２７（油圧モータ）および回転機構（図示せず）が設けられている。この回転モータ２７および回転機構によって、ブラケット２６は、図５に示すように、３つの電線支持具４０Ａ〜４０Ｃおよびグランドワイヤ支持具４０Ｇが略鉛直方向を向いて電線を支持可能な鉛直位置と、３つの電線支持具４０Ａ〜４０Ｃおよびグランドワイヤ支持具４０Ｇが略水平方向を向く水平位置との間でアーム部３０を回転可能に支持するが、この範囲を超えてアーム部３０を回転させることも可能である。
【００１８】
アーム部３０は、図３および図４に示すように、ブラケット２６に支持されたアームベース３１と、アームベース３１に支持されてブラケット２６の延伸方向と平行に伸びる第１および第２アーム３３，３５と、第１アーム３３の側部に取り付けられて当該第１アーム３３と平行に伸びるサブアーム３７とを有して構成される。アームベース３１は、アームベース３１に配設された揺動シリンダ３２（図５を参照）により、第１および第２アーム３３，３５（および、サブアーム３７）を、第１および第２アーム３３，３５が略水平方向を向く水平支持位置と、第１および第２アーム３３，３５が鉛直下方を向く鉛直支持位置との間で揺動可能に支持する。なお通常は、第１および第２アーム３３，３５が水平支持位置に位置する状態でアームベース３１に支持される。
【００１９】
第１アーム３３は、第１基端アーム３３ａおよび第１先端アーム３３ｂを入れ子式に組み合わせて、内蔵の第１アーム伸縮シリンダ３４（図３〜図５では図示せず、図１を参照）により伸縮動可能に構成される。第１基端アーム３３ａの中央上部には、第１基端アーム３３ａに対して垂直に伸びるように第１電線支持具４０Ａが取り付けられる。また、第１先端アーム３３ｂの先端上部には、第１電線支持具４０Ａと平行に、第１先端アーム３３ｂに対して垂直に伸びるように第３電線支持具４０Ｃが取り付けられる。これにより、第１アーム３３を伸縮動させると、第３電線支持具４０Ｃが第１電線支持具４０Ａに対してスライド移動し、第１電線支持具４０Ａと第３電線支持具４０Ｃとの間隔を変えることができる。また、第１基端アーム３３ａの側部先端には、サブアーム３７が取り付けられる。
【００２０】
第２アーム３５は、第１アーム３３の側方に平行に配置され、第２基端アーム３５ａおよび第２先端アーム３５ｂを入れ子式に組み合わせて、内蔵の第２アーム伸縮シリンダ３６（図３〜図５では図示せず、図１を参照）により伸縮動可能に構成される。第２先端アーム３５ｂの先端上部には、第１電線支持具４０Ａ（および第３電線支持具４０Ｃ）と平行に、第２先端アーム３５ｂに対して垂直に伸びるように第２電線支持具４０Ｂが取り付けられる。これにより、第２アーム３５を伸縮動させると、第２電線支持具４０Ｂが第１電線支持具４０Ａに対してスライド移動し、第１電線支持具４０Ａと第２電線支持具４０Ｂとの間隔を変えることができる。
【００２１】
サブアーム３７は、第２アーム３５と反対側の第１アーム３３の側方に平行に配置され、サブアーム３７の基端部が第１基端アーム３３ａの側部先端に枢結されて取り付けられる。サブアーム３７の先端上部には、第１〜第３電線支持具４０Ａ〜４０Ｃと平行に、サブアーム３７に対して垂直に伸びるようにグランドワイヤ支持具４０Ｇが取り付けられる。なお、サブアーム３７は、図４に示すように、アーム部３０の先端側を向く状態で固定して使用するが、非使用時にアーム部３０の基端側を向くように回転させて固定するようにしてもよい。これにより、ブーム５の格納時等に仮支持装置２０をコンパクトにすることができる。
【００２２】
第１電線支持具４０Ａは、図３に示すように、第１基端アーム３３ａの中央上部に取り付けられて第１基端アーム３３ａに対し垂直に伸びる第１の碍子４１Ａと、この碍子４１Ａの先端部（上部）に取り付けられて電線（例えば、第１高圧線ＨＷ１）を支持可能な第１四面ローラ４２Ａとを有して構成される。第１四面ローラ４２Ａは、上下左右にそれぞれ対向して設けられた４つのローラを有し、この４つのローラによって形成される矩形状の間隙部に電線を挿通させて支持するようになっている。なお、第１四面ローラ４２Ａにおける電線の挿通方向（矩形状の間隙部が伸びる方向）は、第１アーム３３および第１電線支持具４０Ａの延伸方向に対してそれぞれ垂直になるように設定される。また、第１四面ローラ４２Ａの側部には、開閉シリンダ４４（図３〜図５では図示せず、図１を参照）を利用して第１四面ローラ４２Ａの先端部（上部）に位置するローラを揺動開閉可能な第１四面ローラ開閉機構４３Ａが設けられている。
【００２３】
第２電線支持具４０Ｂは、第２先端アーム３５ｂの先端上部に取り付けられて第２先端アーム３５ｂに対し垂直に伸びる第２の碍子４１Ｂと、この碍子４１Ｂの先端部（上部）に取り付けられて電線（例えば、第２高圧線ＨＷ２）を支持可能な第２四面ローラ４２Ｂとを有して構成される。第２四面ローラ４２Ｂは、第１四面ローラ４２Ａと同様の構成であり、第２四面ローラ４２Ｂの側部には、開閉シリンダ４４を利用して第２四面ローラ４２Ｂの先端部（上部）に位置するローラを揺動開閉可能な第２四面ローラ開閉機構４３Ｂが設けられている。なお、第２四面ローラ４２Ｂにおける電線の挿通方向（矩形状の間隙部が伸びる方向）は、第２アーム３５および第２電線支持具４０Ｂの延伸方向に対してそれぞれ垂直になるように設定される。
【００２４】
第３電線支持具４０Ｃは、第１先端アーム３３ｂの先端上部に取り付けられて第１先端アーム３３ｂに対し垂直に伸びる第３の碍子４１Ｃと、この碍子４１Ｃの先端部（上部）に取り付けられて電線（例えば、第３高圧線ＨＷ３）を支持可能な第３四面ローラ４２Ｃとを有して構成される。第３四面ローラ４２Ｃは、第１四面ローラ４２Ａと同様の構成であり、第３四面ローラ４２Ｃの側部には、開閉シリンダ４４を利用して第３四面ローラ４２Ｃの先端部（上部）に位置するローラを揺動開閉可能な第３四面ローラ開閉機構４３Ｃが設けられている。なお、第３四面ローラ４２Ｃにおける電線の挿通方向（矩形状の間隙部が伸びる方向）は、第１アーム３３および第３電線支持具４０Ｃの延伸方向に対してそれぞれ垂直になるように設定される。
【００２５】
グランドワイヤ支持具４０Ｇは、サブアーム３７の先端上部に取り付けられてサブアーム３７に対し垂直に伸びる柱部４６と、柱部４６の先端部（上部）に取り付けられて柱部４６と同じ方向に伸びる第４の碍子４１Ｇと、この碍子４１Ｇの先端部（上部）に取り付けられて電線（グランドワイヤＧＷ）を支持可能な第４四面ローラ４２Ｇとを有して構成される。第４四面ローラ４２Ｇは、第１四面ローラ４２Ａと同様の構成であり、第４四面ローラ４２Ｇの側部には、開閉シリンダ４４を利用して第４四面ローラ４２Ｇの先端部（上部）に位置するローラを揺動開閉可能な第４四面ローラ開閉機構４３Ｇが設けられている。なお、第４四面ローラ４２Ｇにおける電線の挿通方向（矩形状の間隙部が伸びる方向）は、サブアーム３７およびグランドワイヤ支持具４０Ｇの延伸方向に対してそれぞれ垂直になるように設定される。また、第１〜第４四面ローラ開閉機構４３Ａ〜４３Ｃ，４３Ｇの開閉シリンダ４４は、それぞれ同様の構成であるため、まとめて同じ番号を付すことにする。
【００２６】
ところで、操作装置５０は、図６に示すように、ブーム５の操作が行われるブーム操作スイッチ５１と、仮支持装置２０の操作が行われる仮支持装置操作スイッチ６０と、各種パラメータの設定を行う操作が行われるパラメータ設定スイッチ７０と、ブーム５の作動モードを設定する操作が行われるモード操作スイッチ７５と、アウトリガ９の操作が行われるジャッキ操作スイッチ７６と、図示しないバッテリの充電操作等が行われるバッテリユニット操作スイッチ７７と、ブーム５やアウトリガ９の作動状態等を表示する表示器７８とを有して構成される。
【００２７】
ブーム操作スイッチ５１は、ブーム５の旋回操作が行われるブーム旋回スイッチ５２と、ブーム５の起伏操作が行われるブーム起伏スイッチ５３と、ブーム５の伸縮操作が行われるブーム伸縮スイッチ５４とから構成される。仮支持装置操作スイッチ６０は、アーム部３０（ブラケット２６）の首振り操作が行われる首振りスイッチ６１と、アーム部３０の回転操作が行われる回転スイッチ６２と、アーム部３０の揺動操作が行われる揺動スイッチ６３と、第１アーム３３の伸縮操作が行われる第１アーム伸縮スイッチ６４と、第２アーム３５の伸縮操作が行われる第２アーム伸縮スイッチ６５と、第１〜第４四面ローラ４２Ａ〜４２Ｃ，４２Ｇの開閉操作が行われる四面ローラ開閉スイッチ６６とから構成される。
【００２８】
パラメータ設定スイッチ７０は、電線のサイズを選択する操作が行われるサイズ選択スイッチ７１と、電柱間の距離（以下、径間と称する）を選択する操作が行われる径間選択スイッチ７２と、季節を選択する操作が行われる季節選択スイッチ７３と、電線の水平角度を選択する操作が行われる角度選択スイッチ７４とから構成される。なお、本実施形態において、図７に示すように、仮支持装置２０に支持される電線（例えば、高圧線ＨＷ１〜ＨＷ３）の被支持部分における水平方向の折れ曲がり角度αを、電線の水平角度と称することにする。
【００２９】
サイズ選択スイッチ７１が操作されると、仮支持装置２０に支持される電線のサイズ（断面積）について、複数の電線のサイズ（例えば、２５mm2、５８mm2、１２０mm2、２００mm2、４００mm2）のうちいずれか一つが選択入力される。なお、サイズ選択スイッチ７１に設けられた表示灯７１ａにおいて、現在選択されている電線のサイズ（いずれか一つ）が表示されるようになっている。径間選択スイッチ７２が操作されると、電線を支持している電柱の径間について、複数の径間（例えば、３０ｍ、４０ｍ、５０ｍ、６０ｍ）のうちいずれか一つが選択入力される。なお、径間選択スイッチ７２に設けられた表示灯７２ａにおいて、現在選択されている径間（いずれか一つ）が表示されるようになっている。
【００３０】
季節選択スイッチ７３が操作されると、使用時の季節について、複数の季節（例えば、冬、春または秋、夏）のうちいずれか一つが選択入力される。なお、季節選択スイッチ７３に設けられた表示灯７３ａにおいて、現在選択されている季節（いずれか一つ）が表示されるようになっている。角度選択スイッチ７４が操作されると、電線の水平角度について、複数の水平角度（例えば、−１２．５度、−６度、０度、＋６度、＋１２．５度）のうちいずれか一つが選択入力される。なお、角度選択スイッチ７４に設けられた表示灯７４ａにおいて、現在選択されている水平角度（いずれか一つ）が表示されるようになっている。
【００３１】
さて、仮支持工法車１の制御装置は、図１に示すように、車体２の内部に設置されたコントローラ８０を主体に構成される。コントローラ８０は、バルブ制御部８１と、規制部８２と、作動範囲設定部８３とを有して構成される。バルブ制御部８１は、ブーム操作スイッチ５１および仮支持装置操作スイッチ６０と電気的に接続され、ブーム操作スイッチ５１および仮支持装置操作スイッチ６０からそれぞれ出力された操作信号がバルブ制御部８１に入力される。そして、バルブ制御部８１は、ブーム操作スイッチ５１のブーム旋回スイッチ５２から入力された操作信号に基づいて、旋回モータ６に対応する第１油圧制御バルブＶ１のスプールを電磁駆動し、ブーム起伏スイッチ５３から入力された操作信号に基づいて、起伏シリンダ７に対応する第２油圧制御バルブＶ２のスプールを電磁駆動し、ブーム伸縮スイッチ５４から入力された操作信号に基づいて、ブーム伸縮シリンダ８に対応する第３油圧制御バルブＶ３のスプールを電磁駆動する。
【００３２】
また、バルブ制御部８１は、仮支持装置操作スイッチ６０の首振りスイッチ６１から入力された操作信号に基づいて、首振りモータ２２に対応する第４油圧制御バルブＶ４のスプールを電磁駆動し、回転スイッチ６２から入力された操作信号に基づいて、回転モータ２７に対応する第５油圧制御バルブＶ５のスプールを電磁駆動し、揺動スイッチ６３から入力された操作信号に基づいて、揺動シリンダ３２に対応する第６油圧制御バルブＶ６のスプールを電磁駆動する。また、バルブ制御部８１は、第１アーム伸縮スイッチ６４から入力された操作信号に基づいて、第１アーム伸縮シリンダ３４に対応する第７油圧制御バルブＶ７のスプールを電磁駆動し、第２アーム伸縮スイッチ６５から入力された操作信号に基づいて、第２アーム伸縮シリンダ３６に対応する第８油圧制御バルブＶ８のスプールを電磁駆動し、四面ローラ開閉スイッチ６６から入力された操作信号に基づいて、開閉シリンダ４４に対応する第９油圧制御バルブＶ９のスプールを電磁駆動する。
【００３３】
なお、第１〜第９油圧制御バルブＶ１〜Ｖ９は、油圧ポンプ８８から各アクチュエータへの作動油の供給を制御する電磁弁である。車体２の内部に設けられた油圧ポンプ８８は、図示しないエンジンや電動モータ等により回転駆動され、第１油圧制御バルブＶ１を介して旋回モータ６に作動油を供給し、第２油圧制御バルブＶ２を介して起伏シリンダ７に作動油を供給し、第３油圧制御バルブＶ３を介してブーム伸縮シリンダ８に作動油を供給する。また、油圧ポンプ８８は、第４油圧制御バルブＶ４を介して首振りモータ２２に作動油を供給し、第５油圧制御バルブＶ５を介して回転モータ２７に作動油を供給し、第６油圧制御バルブＶ６を介して揺動シリンダ３２に作動油を供給する。また、油圧ポンプ８８は、第７油圧制御バルブＶ７を介して第１アーム伸縮シリンダ３４に作動油を供給し、第８油圧制御バルブＶ８を介して第２アーム伸縮シリンダ３６に作動油を供給し、第９油圧制御バルブＶ９を介して開閉シリンダ４４に作動油を供給する。
【００３４】
規制部８２は、ブーム５に内蔵された、ブーム５の起伏角度を検出するブーム起伏角度検出器８５およびブーム５の長さを検出するブーム長さ検出器８６と電気的に接続され、ブーム起伏角度検出器８５およびブーム長さ検出器８６からそれぞれ出力された検出信号が規制部８２に入力される。また、規制部８２は、作動範囲設定部８３と電気的に接続され、作動範囲設定部８３から出力されたブーム５の作動範囲の情報が規制部８２に入力される。そして、規制部８２は、ブーム起伏角度検出器８５およびブーム長さ検出器８６から入力された検出信号に基づいて、ブーム５の先端位置（すなわち、仮支持装置２０の位置）を算出し、算出したブーム５の先端位置が作動範囲設定部８３により設定されたブーム５の作動範囲（車体２を転倒させることなく仮支持装置２０を移動させ得る領域として定められた仮支持装置２０（ブーム５の先端）の移動可能領域）を超えると判定した場合、表示器７８等にその旨を報知させて作業者に注意を喚起するとともに、ブーム５の作動を規制する制御を行う。具体的には、規制部８２がブーム５の先端位置に応じた規制信号をバルブ制御部８１へ出力し、バルブ制御部８１によるブーム５の作動範囲を超える方向への油圧制御バルブ（例えば、第２および第３油圧制御バルブＶ２，Ｖ３）の作動を規制する。
【００３５】
作動範囲設定部８３は、パラメータ設定スイッチ７０と電気的に接続され、パラメータ設定スイッチ７０から出力された各種パラメータ（電線のサイズ、径間、季節、および電線の水平角度）の情報が作動範囲設定部８３に入力される。そして、作動範囲設定部８３は、サイズ選択スイッチ７１から入力された電線のサイズと、径間選択スイッチ７２から入力された径間と、季節選択スイッチ７３から入力された季節と、角度選択スイッチ７４から入力された電線の水平角度とに基づいて、図８に示すように、仮支持装置２０が電線を支持する仮支持状態でのブーム５の作動範囲である仮支持作動範囲Ｓおよび、仮支持装置２０が電線を支持しない非支持状態でのブーム５の作動範囲である非支持作動範囲Ｒをそれぞれ設定する。なお、作動範囲設定部８３は、設定した仮支持作動範囲Ｓおよび非支持作動範囲Ｒの情報を規制部８２へ出力する。
【００３６】
作動範囲設定部８３により設定されるブーム５の非支持作動範囲Ｒは、電線のサイズ、径間、季節、および電線の水平角度に応じて、予め算出された複数の非支持作動範囲（例えば、７つの非支持作動範囲Ｒ１〜Ｒ７）のうちいずれか一つが選択設定される。ここで、電線のサイズが大きくなると、電線の単位長さ当たりの重量が増えてブーム５の先端に作用する荷重が大きくなるため、ブーム５の非支持作動範囲Ｒが狭くなる傾向となる。径間が長くなると、電線の重量が増えてブーム５の先端に作用する荷重が大きくなるため、ブーム５の非支持作動範囲Ｒが狭くなる傾向となる。気温が低い季節になると、電線が縮んでブーム５の先端に荷重が作用しやすくなるため、ブーム５の非支持作動範囲Ｒが狭くなる傾向となる。電線の水平角度（絶対値）が大きくなると、ブーム５の先端に作用する水平方向荷重が大きくなるため、ブーム５の非支持作動範囲Ｒが狭くなる傾向となる。
【００３７】
作動範囲設定部８３により設定されるブーム５の仮支持作動範囲Ｓは、電線のサイズ、径間、季節、および電線の水平角度に応じて、予め算出された複数の仮支持作動範囲のうちいずれか一つが選択設定される。ここで、電線のサイズが大きくなると、電線が撓みにくくなるため、ブーム５の仮支持作動範囲Ｓが狭くなる傾向となる。径間が長くなると、電線の撓み量が大きくなるため、ブーム５の仮支持作動範囲Ｓが広くなる傾向となる。気温が低い季節になると、電線が縮んで撓み量が小さくなるため、ブーム５の仮支持作動範囲Ｓが狭くなる傾向となる。電線の水平角度（絶対値）が大きくなると、ブーム５の先端に作用する水平方向荷重を小さくする方向（すなわち、電線の水平角度が０度になる方向）に、ブーム５の仮支持作動範囲Ｓが広くなる傾向となる。なお、電線のサイズが変化しても、仮支持作動範囲Ｓに対して大きく影響しないため、径間、季節、および電線の水平角度だけで、仮支持作動範囲Ｓを設定するようにしてもよい。
【００３８】
以上のように構成される仮支持工法車１を用いて、電柱Ｐの代わりに３本の高圧線ＨＷ１〜ＨＷ３およびグランドワイヤＧＷを支持するには、まず、操作装置５０のパラメータ設定スイッチ７０を操作して、電線のサイズ、径間、季節、および電線の水平角度をそれぞれ入力する。このとき、パラメータ設定スイッチ７０から出力された各種パラメータ（電線のサイズ、径間、季節、および電線の水平角度）の情報が作動範囲設定部８３に入力される。そうすると、作動範囲設定部８３は、サイズ選択スイッチ７１から入力された電線のサイズと、径間選択スイッチ７２から入力された径間と、季節選択スイッチ７３から入力された季節と、角度選択スイッチ７４から入力された電線の水平角度とに基づいて、仮支持作動範囲Ｓおよび非支持作動範囲Ｒをそれぞれ設定し、設定した仮支持作動範囲Ｓおよび非支持作動範囲Ｒの情報を規制部８２へ出力する。
【００３９】
このように、電線のサイズ、径間、季節、および電線の水平角度に基づいて、仮支持作動範囲Ｓおよび非支持作動範囲Ｒを設定するようにすれば、ロードセル等を用いることなく、安全なブーム５の作動範囲を精度よく設定することができ、簡便な構成で電線の仮支持作業を安全に行うことが可能になる。なお、パラメータ設定スイッチ７０のいずれかもしくは全部が操作されなかったとしても、現状選択されている各種パラメータ（電線のサイズ、径間、季節、および電線の水平角度）の情報が作動範囲設定部８３に入力される。
【００４０】
次に、車体２を安定支持するため、操作装置５０のジャッキ操作スイッチ７６等を操作して、アウトリガ９を車体２の側方に張出させるとともに下方に伸長させる。次に、操作装置５０のブーム操作スイッチ５１を操作して、ブーム５の先端に取り付けられた仮支持装置２０を３本の高圧線ＨＷ１〜ＨＷ３の下方に移動させる。このとき、ブーム操作スイッチ５１（ブーム旋回スイッチ５２、ブーム起伏スイッチ５３、およびブーム伸縮スイッチ５４）の操作に応じた操作信号がバルブ制御部８１に入力され、バルブ制御部８１は、ブーム操作スイッチ５１から入力された操作信号に基づいて、第１〜第３油圧制御バルブＶ１〜Ｖ３のスプールをそれぞれ電磁駆動する。そうすると、油圧ポンプ８８から第１〜第３油圧制御バルブＶ１〜Ｖ３を介して旋回モータ６、起伏シリンダ７、およびブーム伸縮シリンダ８にそれぞれ作動油が供給され、ブーム操作スイッチ５１の操作に応じてブーム５が作動することになる。
【００４１】
このようにブーム５を作動させて、非支持状態の仮支持装置２０を３本の高圧線ＨＷ１〜ＨＷ３の下方に移動させる際、規制部８２は、ブーム起伏角度検出器８５およびブーム長さ検出器８６から入力された検出信号に基づいて、ブーム５の先端位置（すなわち、仮支持装置２０の位置）を算出し、算出したブーム５の先端位置が作動範囲設定部８３により設定された非支持作動範囲Ｒを超えると判定した場合、表示器７８等にその旨を報知させて作業者に注意を喚起するとともに、ブーム５の作動を規制する制御を行う。具体的には、規制部８２がブーム５の先端位置に応じた規制信号をバルブ制御部８１へ出力し、バルブ制御部８１による非支持作動範囲Ｒを超える方向への油圧制御バルブ（例えば、第２および第３油圧制御バルブＶ２，Ｖ３）の作動を規制する。
【００４２】
なお、図２に示すように、ブーム５の格納時には、仮支持装置２０のブラケット２６およびアーム部３０が垂直ポスト２１に対してブーム５の基端側を向くように首振りするとともに、アーム部３０が前述の水平位置に回転した状態で保持されている。また、アーム部３０の第１および第２アーム３３，３５は水平支持位置で保持され、第１〜第４四面ローラ４２Ａ〜４２Ｃ，４２Ｇの先端部に位置するローラは開いた状態である。そこで、仮支持装置２０を３本の高圧線ＨＷ１〜ＨＷ３の下方に移動させる際、仮支持装置操作スイッチ６０の首振りスイッチ６１を操作して、ブラケット２６およびアーム部３０を垂直ポスト２１に対しブーム５の先端側を向くように首振りさせてブーム５の先端より突出させるとともに、アーム部３０を水平位置に回転させた状態のまま保持する。このように、アーム部３０が水平位置に回転した状態では、図５に示すように、３つの電線支持具４０Ａ〜４０Ｃおよびグランドワイヤ支持具４０Ｇが略水平方向を向いて、仮支持装置２０の高さが低くなるため、３本の高圧線ＨＷ１〜ＨＷ３の下方に低圧線ＬＷ１〜ＬＷ３等が存在しても、３本の高圧線ＨＷ１〜ＨＷ３と低圧線ＬＷ１〜ＬＷ３との間に側方から仮支持装置２０を容易にアプローチさせることができる。
【００４３】
なおこのとき、首振りスイッチ６１の操作に応じた操作信号がバルブ制御部８１に入力され、バルブ制御部８１は、首振りスイッチ６１から入力された操作信号に基づいて、第４油圧制御バルブＶ４のスプールを電磁駆動する。そうすると、油圧ポンプ８８から第４油圧制御バルブＶ４を介して首振りモータ２２に作動油が供給され、首振りスイッチ６１の操作に応じてブラケット２６が首振り作動することになる。
【００４４】
また、仮支持装置２０を３本の高圧線ＨＷ１〜ＨＷ３の下方に移動させる際、仮支持装置操作スイッチ６０の第１および第２アーム伸縮スイッチ６４，６５を操作して、第１および第２アーム３３，３５をそれぞれ伸縮動させ、３つの電線支持具４０Ａ〜４０Ｃのピッチ間隔を３本の高圧線ＨＷ１〜ＨＷ３のピッチ間隔と同じになるように調整し、３本の高圧線ＨＷ１〜ＨＷ３の鉛直下方にそれぞれ３つの電線支持具４０Ａ〜４０Ｃが平行に位置するようにする。このとき、第１および第２アーム伸縮スイッチ６４，６５の操作に応じた操作信号がバルブ制御部８１に入力され、バルブ制御部８１は、第１および第２アーム伸縮スイッチ６４，６５から入力された操作信号に基づいて、第７および第８油圧制御バルブＶ７，Ｖ８のスプールをそれぞれ電磁駆動する。そうすると、油圧ポンプ８８から第７および第８油圧制御バルブＶ７，Ｖ８を介して第１および第２アーム伸縮シリンダ３４，３６にそれぞれ作動油が供給され、第１および第２アーム伸縮スイッチ６４，６５の操作に応じて第１および第２アーム３３，３５がそれぞれ伸縮動することになる。
【００４５】
なお、サブアーム３７に関しては、グランドワイヤＧＷの鉛直下方にグランドワイヤ支持具４０Ｇが平行に位置するように、予め手作業でサブアーム３７の長さを調整しておく。また、仮支持装置２０を３本の高圧線ＨＷ１〜ＨＷ３の下方に移動させる際、３本の高圧線ＨＷ１〜ＨＷ３と仮支持装置２０との上下間隔が３つの電線支持具４０Ａ〜４０Ｃの長さとほぼ同じになるように位置調整されるが、このときのグランドワイヤＧＷと仮支持装置２０との上下間隔がグランドワイヤ支持具４０Ｇの長さとほぼ同じになるように、柱部４６の長さが調整されている。
【００４６】
仮支持装置２０を３本の高圧線ＨＷ１〜ＨＷ３の下方に移動させて、３本の高圧線ＨＷ１〜ＨＷ３の鉛直下方にそれぞれ３つの電線支持具４０Ａ〜４０Ｃが平行に位置するとともに、グランドワイヤＧＷの鉛直下方にグランドワイヤ支持具４０Ｇが平行に位置する状態にすると、仮支持装置操作スイッチ６０の回転スイッチ６２を操作して、アーム部３０を水平位置から鉛直位置に回転させる。そうすると、３つの電線支持具４０Ａ〜４０Ｃおよびグランドワイヤ支持具４０Ｇがそれぞれ略鉛直方向を向いて電線を支持する。
【００４７】
すなわち、図３および図５に示すように、第１電線支持具４０Ａは、略鉛直方向を向くように上方に回転し、先端部のローラが開いた第１四面ローラ４２Ａの間隙部に第１高圧線ＨＷ１が挿通され、第１四面ローラ４２Ａで第１高圧線ＨＷ１を支持する状態になる。また、第２電線支持具４０Ｂは、略鉛直方向を向くように上方に回転し、先端部のローラが開いた第２四面ローラ４２Ｂの間隙部に第２高圧線ＨＷ２が挿通され、第２四面ローラ４２Ｂで第２高圧線ＨＷ２を支持する状態になる。また、第３電線支持具４０Ｃは、略鉛直方向を向くように上方に回転し、先端部のローラが開いた第３四面ローラ４２Ｃの間隙部に第３高圧線ＨＷ３が挿通され、第３四面ローラ４２Ｃで第３高圧線ＨＷ３を支持する状態になる。同様に、グランドワイヤ支持具４０Ｇは、略鉛直方向を向くように上方に回転し、先端部のローラが開いた第４四面ローラ４２Ｇの間隙部にグランドワイヤＧＷが挿通され、第４四面ローラ４２ＧでグランドワイヤＧＷを支持する状態になる。
【００４８】
なおこのとき、回転スイッチ６２の操作に応じた操作信号がバルブ制御部８１に入力され、バルブ制御部８１は、回転スイッチ６２から入力された操作信号に基づいて、第５油圧制御バルブＶ５のスプールを電磁駆動する。そうすると、油圧ポンプ８８から第５油圧制御バルブＶ５を介して回転モータ２７に作動油が供給され、回転スイッチ６２の操作に応じてアーム部３０が回転することになる。
【００４９】
アーム部３０を水平位置から鉛直位置に回転させて、３つの電線支持具４０Ａ〜４０Ｃおよびグランドワイヤ支持具４０Ｇがそれぞれ３本の高圧線ＨＷ１〜ＨＷ３およびグランドワイヤＧＷを支持する状態にすると、仮支持装置操作スイッチ６０の四面ローラ開閉スイッチ６６を操作して、第１〜第４四面ローラ４２Ａ〜４２Ｃ，４２Ｇの先端部に位置するローラを閉じるように、第１〜第４四面ローラ開閉機構４３Ａ〜４３Ｃ，４３Ｇをそれぞれ作動させる。このとき、四面ローラ開閉スイッチ６６の操作に応じた操作信号がバルブ制御部８１に入力され、バルブ制御部８１は、四面ローラ開閉スイッチ６６から入力された操作信号に基づいて、第９油圧制御バルブＶ９のスプールを電磁駆動する。そうすると、油圧ポンプ８８から第９油圧制御バルブＶ９を介して開閉シリンダ４４に作動油が供給され、四面ローラ開閉スイッチ６６の操作に応じて第１〜第４四面ローラ４２Ａ〜４２Ｃ，４２Ｇの先端部に位置するローラが開閉することになる。
【００５０】
以上のようにして、図３および図５に示すように、仮支持装置２０により電柱Ｐの代わりに３本の高圧線ＨＷ１〜ＨＷ３およびグランドワイヤＧＷを支持することができる。このように電線を仮支持した状態で、必要に応じ、ブーム起伏スイッチ５３およびブーム伸縮スイッチ５４を操作して、ブーム５先端の仮支持装置２０に支持された３本の高圧線ＨＷ１〜ＨＷ３およびグランドワイヤＧＷを移動させる。このとき、ブーム起伏スイッチ５３およびブーム伸縮スイッチ５４の操作に応じた操作信号がバルブ制御部８１に入力され、バルブ制御部８１は、ブーム起伏スイッチ５３およびブーム伸縮スイッチ５４から入力された操作信号に基づいて、第２および第３油圧制御バルブＶ２，Ｖ３のスプールをそれぞれ電磁駆動する。そうすると、油圧ポンプ８８から第２および第３油圧制御バルブＶ２，Ｖ３を介して起伏シリンダ７およびブーム伸縮シリンダ８にそれぞれ作動油が供給され、ブーム起伏スイッチ５３およびブーム伸縮スイッチ５４の操作に応じてブーム５が作動することになる。
【００５１】
ところで、四面ローラ開閉スイッチ６６からの開閉操作信号は規制部８２にも入力され、規制部８２は、第１〜第４四面ローラ４２Ａ〜４２Ｃ，４２Ｇの先端部に位置するローラを閉じるための閉操作信号、すなわち、仮支持装置２０により電線を仮支持状態にするための操作信号が入力されると、ブーム５の作動範囲を非支持作動範囲Ｒから仮支持作動範囲Ｓに切り替えて、ブーム５の作動を規制する制御を行う。そのため、ブーム５を作動させて仮支持状態の仮支持装置２０を移動させる際、規制部８２は、ブーム起伏角度検出器８５およびブーム長さ検出器８６から入力された検出信号に基づいて、ブーム５の先端位置（すなわち、仮支持装置２０の位置）を算出し、算出したブーム５の先端位置が作動範囲設定部８３により設定された仮支持作動範囲Ｓを超えると判定した場合、表示器７８等にその旨を報知させて作業者に注意を喚起するとともに、ブーム５の作動を規制する制御を行う。具体的には、規制部８２がブーム５の先端位置に応じた規制信号をバルブ制御部８１へ出力し、バルブ制御部８１による仮支持作動範囲Ｓを超える方向への油圧制御バルブ（第２および第３油圧制御バルブＶ２，Ｖ３）の作動を規制する。
【００５２】
なお、仮支持作動範囲Ｓは非支持作動範囲Ｒよりも（特に、鉛直方向の範囲が）狭く設定されるが、仮支持作動範囲Ｓが非支持作動範囲Ｒからはみ出す範囲では、非支持作動範囲Ｒを優先的に適用するようにしてもよい。すなわち、ブーム５を作動させて仮支持状態の仮支持装置２０を移動させる際、規制部８２は、仮支持作動範囲Ｓ内であっても、非支持作動範囲Ｒを超えると判定した場合、表示器７８等にその旨を報知させて作業者に注意を喚起するとともに、ブーム５の作動を規制する制御を行うようにしてもよい。
【００５３】
以上説明したように、本実施形態によれば、アーム部３０が鉛直位置と水平位置との間で回転可能に構成されるため、アーム部３０が水平位置に回転した状態では、３つの電線支持具４０Ａ〜４０Ｃおよびグランドワイヤ支持具４０Ｇが略水平方向を向いて、仮支持装置２０の高さが低くなり、３本の高圧線ＨＷ１〜ＨＷ３の下方に低圧線ＬＷ１〜ＬＷ３等が存在しても、３本の高圧線ＨＷ１〜ＨＷ３と低圧線ＬＷ１〜ＬＷ３との間に側方から仮支持装置２０を容易にアプローチさせることができる。これにより、電線の配置に拘わらず、目的の電線に仮支持装置２０を容易にアプローチさせることが可能になる。
【００５４】
なお、アーム部３０を支持するブラケット２６が垂直ポスト２１に対して首振り可能（旋回可能）に構成されることが好ましく、このようにすれば、ブーム５の旋回位置に拘わらず、ブラケット２６に支持されたアーム部３０を電線に対して直角に（所望の角度に）位置させることができる。
【００５５】
また、ブーム５が車体２上に格納されるとき、アーム部３０が水平位置に回転変位することが好ましく、これにより、アーム部３０が水平位置に回転した状態では、３つの電線支持具４０Ａ〜４０Ｃおよびグランドワイヤ支持具４０Ｇが略水平方向を向いて仮支持装置２０の高さが低くなるため、ブーム５格納時の車高を低くすることができる。また、アーム部３０が水平位置に回転した状態で、ブーム５を格納状態から作動させることができ、目的の電線に仮支持装置２０をアプローチさせる際、アーム部３０を鉛直位置から水平位置に回転させる作業を省略できることから、作業効率を向上させることが期待できる。
【００５６】
なお、上述の実施形態において、仮支持装置２０により電柱Ｐの代わりに３本の高圧線ＨＷ１〜ＨＷ３およびグランドワイヤＧＷを支持しているが、これに限られるものではなく、第１〜第３低圧線ＬＷ１〜ＬＷ３を支持することも可能である。また、図３に示す３本の高圧線ＨＷ１〜ＨＷ３のような、略水平に並ぶように互いに平行に伸びた複数の電線に限らず、揺動スイッチ６３を操作してアーム部３０の第１および第２アーム３３，３５を（水平支持位置から）鉛直支持位置に揺動させるようにすれば、略鉛直に並ぶように互いに平行に伸びた複数の電線を支持することも可能である。
【００５７】
なお、第１および第２アーム３３，３５を揺動させるとき、揺動スイッチ６３の操作に応じた操作信号がバルブ制御部８１に入力され、バルブ制御部８１は、揺動スイッチ６３から入力された操作信号に基づいて、第６油圧制御バルブＶ６のスプールをそれぞれ電磁駆動する。そうすると、油圧ポンプ８８から第６油圧制御バルブＶ６を介して揺動シリンダ３２にそれぞれ作動油が供給され、揺動スイッチ６３の操作に応じて第１および第２アーム３３，３５が揺動することになる。
【００５８】
また、上述の実施形態において、仮支持装置２０は、３つの電線支持具４０Ａ〜４０Ｃおよびグランドワイヤ支持具４０Ｇを有して構成されているが、これに限られるものではなく、仮支持装置２０が有する電線支持具は、１つであってもよく、複数であってもよい。
【００５９】
また、上述の実施形態において、ブラケット２６およびアーム部３０が首振り可能に構成されているが、これに限られるものではなく、アーム部３０がブーム５の先端より突出した状態で固定されていてもよい。
【００６０】
また、上述の実施形態において、第１および第２アーム３３，３５が揺動可能に構成されているが、これに限られるものではなく、略水平状態で固定されていてもよい。
【００６１】
また、上述の実施形態において、第１および第２アーム３３，３５が伸縮動可能に構成されているが、これに限られるものではなく、３つの電線支持具４０Ａ〜４０Ｃのピッチ間隔が３本の高圧線ＨＷ１〜ＨＷ３のピッチ間隔と同じになるように調整されていれば、伸縮動しなくてもよい。
【００６２】
また、上述の実施形態において、作動範囲設定部８３は、電線のサイズと、電線の水平角度（折れ曲がり角度）と、季節と、径間（電柱間の距離）とに基づいて、仮支持作動範囲Ｓおよび非支持作動範囲Ｒをそれぞれ設定しているが、これに限られるものではなく、電線のサイズと水平角度だけに基づいて、仮支持作動範囲Ｓおよび非支持作動範囲Ｒをそれぞれ設定するようにしてもよい。また、電線のサイズと水平角度と季節だけを用いるようにしてもよく、電線のサイズと水平角度と径間だけを用いるようにしてもよい。また、季節の代わりに気温を用いるようにしてもよい。なおこの場合、パラメータ設定スイッチ７０には、季節の代わりに気温が入力される。
【００６３】
また、上述の実施形態において、ブーム５の先端位置を基準に作動範囲を設定しているが、これに限られるものではなく、仮支持装置２０における所定の基準位置（例えば、垂直ポスト２１の先端位置等）を基準に作動範囲を設定するようにしてもよい。
【００６４】
また、上述の実施形態において、パラメータ設定スイッチ７０のいずれかもしくは全部が操作されなかったとしても、現状選択されている各種パラメータ（電線のサイズ、径間、季節、および電線の水平角度）の情報が作動範囲設定部８３に入力されるように構成されているが、これに限られるものではなく、パラメータ設定スイッチ７０の操作が全て行われるまでブーム５の作動等を規制するようにしてもよい。
【符号の説明】
【００６５】
１  仮支持工法車
２  車体
５  ブーム
２０  仮支持装置
２１  垂直ポスト
２２  首振りモータ
２６  ブラケット
２７  回転モータ
３０  アーム部
３３  第１アーム
３５  第２アーム
３７  サブアーム
４０Ａ  第１電線支持具
４０Ｂ  第２電線支持具
４０Ｃ  第３電線支持具
４０Ｇ  グランドワイヤ支持具
Ｐ  電柱
ＧＷ  グランドワイヤ
ＨＷ１  第１高圧線
ＨＷ２  第２高圧線
ＨＷ３  第３高圧線
ＬＷ１  第１低圧線
ＬＷ２  第２低圧線
ＬＷ３  第３低圧線
【図１】
0005543260.tif 000002
【図２】
0005543260.tif 000003
【図３】
0005543260.tif 000004
【図４】
0005543260.tif 000005
【図５】
0005543260.tif 000006
【図６】
0005543260.tif 000007
【図７】
0005543260.tif 000008
【図８】
0005543260.tif 000009